(57)【要約】【課題】安価で、長寿命のジャッキ駆動用ソケットの提供【解決手段】一端に工具接続部１０を、他端に係合穴部１１を備える略円筒形状のソケット本体１３を有し、係合穴部１１がソケット本体１３と一体成形されているジャッキ駆動用ソケット２０を用いれば、その工具接続部１０を介して回転工具（図示省略）に接続し、係合穴部１１にジャッキの係合金具（一枚の穴付板）５を係合し、この状態で回転工具を駆動することにより、ジャッキを昇降させることができる。【選択図】  図５
2013189263.tif 000002
【特許請求の範囲】
【請求項１】
係合金具として一枚の穴付板を用いたジャッキを、回転工具により昇降させるのに用いるソケットであって、一端に該回転工具に接続するための工具接続部を、他端に該係合金具を収容するための係合穴部を備える略円筒形状のソケット本体を有し、係合穴部がソケット本体と一体成形されていることを特徴とするジャッキ駆動用ソケット。
【請求項２】
前記工具接続部が、六角軸ビットを有することを特徴とする請求項１に記載のジャッキ駆動用ソケット。
【請求項３】
前記工具接続部が、回転軸が四角軸である回転工具の該四角軸に係合可能な四角穴を有することを特徴とする請求項１に記載のジャッキ駆動用ソケット。
【請求項４】
さらに、一端に前記四角穴に係合可能な四角軸を、他端に六角軸ビットを有するアタッチメントを有することを特徴とする請求項３に記載のジャッキ駆動用ソケット。
【請求項５】
前記係合穴部の先端に六角または十二角のねじ回し部を有することを特徴とする、請求項１から４までのいずれかに記載のジャッキ駆動用ソケット。
【発明の詳細な説明】
【技術分野】
【０００１】
本発明は、ジャッキ駆動用ソケットに係り、特に、インパクトレンチ、インパクトドライバなどの回転工具に接続され、回転工具の動力で自動車の車載工具であるジャッキを昇降させるソケットに関する。
【背景技術】
【０００２】
ジャッキには、例えば、図１に示すような、パンタグラフ型のジャッキ９が用いられる。ジャッキ９は、土台１と、土台１に回動自在に取り付けられたアーム２ａ、２ｂと、アーム２ａ、２ｂの上部に取り付けられたヘッド３と、シャフト４と、係合金具５とを有し、車載工具のジャッキロッド（図示省略）によって係合金具５を回転させることによりヘッド３の位置を昇降させるものである。
【０００３】
しかし、車載工具を用いてジャッキアップ作業を手動で行うには、強い力を要するし、タイヤ交換に長時間を要する。このため、動力を用いてジャッキアップ作業を行う発明が提案されている。
【０００４】
例えば、特許文献１には、電動モータの駆動力によりジャッキの昇降を行う発明が提案されている。特許文献２、３および４には、フック形状の工具をインパクトドライバなどの回転工具に取り付け、係合金具の穴にフックを引っかけた状態で回転させ、ジャッキの昇降を行う発明が提案されている。特許文献５には、ジャッキの連結桿の外郭に係合する係合部、ガイド部、連結部を有するジャッキ駆動用ソケットに関する発明が提案されている。特許文献６には、ジャッキの係合金具を、トルクアーム、ジャッキホルダおよび連結金具を介して回転工具に接続するジャッキ用動力装置に関する発明が提案されている。
【先行技術文献】
【特許文献】
【０００５】
【特許文献１】特開２０００−１７７９９６号公報
【特許文献２】特開２００３−２３１４５７号公報
【特許文献３】実用新案登録第３１６０２６３号公報
【特許文献４】特開平９−１３６２６８号公報
【特許文献５】特開平３−１１１３９８号公報
【特許文献６】登録実用新案第３０１３３５８号公報
【発明の概要】
【発明が解決しようとする課題】
【０００６】
特許文献１の発明のように、電動モータをジャッキに取り付けた構成では、車載工具の一つであるジャッキ（通常は、パンタグラフジャッキ）とは、別のジャッキを用意することを前提とするものであり、車載のジャッキが無駄になる。
【０００７】
特許文献２、３および４の発明のように、回転工具にフック形状の工具を用いる構成であれば、車載のジャッキをそのまま使用することができるが、この構成では、作業中にフックが係合金具からはずれるなど、回転工具の動力をジャッキに伝えることができないことがある。また、ホイールのボルト回し作業とジャッキアップ作業とを別の工具を用いて行う必要がある。
【０００８】
特許文献５で提案されているソケットは、内部に設ける必要がある係合部の形状が複雑であり、部品点数が多く、また、該文献中には製造方法が触れられていないが、鋳造、鍛造、切削などの加工だけでは製造することが困難である。このため、製造コストが上昇し、また、係合部の固着は接着剤などに頼らざるを得ず、長期間の使用に耐えうるものではないことが予想されるため、実用化は困難である。また、この発明においても、ホイールのボルト回し作業とジャッキアップ作業とを別の工具を用いて行う必要がある。
【０００９】
特許文献６の発明のように、ジャッキの係合金具と回転工具との間に三つもの部材が存在すると、製造コストが上昇するとともに、それぞれの部材の取り付け、取り外しなどに多大な時間を費やし、また、三つの部材の一つでも紛失すると使えなくなってしまうという問題がある。この発明においても、ホイールのボルト回し作業とジャッキアップ作業とを別の工具を用いて行う必要がある。
【００１０】
本発明は、従来技術の課題を解決するためになされたものであり、安価で、長寿命のジャッキ駆動用ソケットを提供することを目的とする。
【課題を解決するための手段】
【００１１】
前掲の特許文献５などに記載されるように、車載ジャッキの係合金具には、ほぼ中央部に穴が形成されている穴付板を２枚用いたものと、該穴付板を１枚用いたものがある。本発明者らは、穴付板を１枚用いた係合金具を前提として、インパクトレンチなどの回転工具に接続して用いることが可能であり、かつ、鋳造、鍛造、切削などの加工工程のみで製造することが可能な車載ジャッキ駆動用ソケットについて鋭意研究を行った結果、本発明を完成させた。
【００１２】
本発明は、下記の（１）〜（５）のジャッキ駆動用ソケットを要旨とする。
【００１３】
（１）係合金具として一枚の穴付板を用いたジャッキを、回転工具により昇降させるのに用いるソケットであって、一端に該回転工具に接続するための工具接続部を、他端に該係合金具を収容するための係合穴部を備える略円筒形状のソケット本体を有し、係合穴部がソケット本体と一体成形されているジャッキ駆動用ソケット。
【００１４】
（２）前記工具接続部が、六角軸ビットを有する上記（１）のジャッキ駆動用ソケット。
【００１５】
（３）前記工具接続部が、回転軸が四角軸である回転工具の該四角軸に係合可能な四角穴を有する上記（１）のジャッキ駆動用ソケット。
【００１６】
（４）さらに、一端に前記四角穴に係合可能な四角軸を、他端に六角軸ビットを有するアタッチメントを有する上記（３）のジャッキ駆動用ソケット。
【００１７】
（５）前記係合穴部の先端に六角または十二角のねじ回し部を有する上記（１）〜（４）いずれかのジャッキ駆動用ソケット。
【発明の効果】
【００１８】
本発明によれば、工具としての寿命が長く、また、係合穴部に関する部品点数が少ないため、安いコストでジャッキ駆動用ソケットを製造することが可能である。本発明の好ましい実施形態によれば、四角軸からなるジャックを有する回転工具にも、六角穴からなるジャックを有する回転工具にも、ジャッキ駆動用ソケットを接続することができる。本発明のより好ましい実施形態によれば、ソケットの交換をすることなく、ホイールのボルト回しも、ジャッキアップもできるので、タイヤ交換時の作業性を格段に向上させることが可能となる。
【図面の簡単な説明】
【００１９】
【図１】通常の車載ジャッキの例を示す図
【図２】本発明に係るジャッキ駆動用ソケットの例の外観を示す図
【図３】本発明に係るジャッキ駆動用ソケットの例の外観をソケット側から見た図
【図４】本発明に係るジャッキ駆動用ソケットの例を示す部分断面図
【図５】本発明に係るジャッキ駆動用ソケットの使用例を示す部分断面図                  （ａ）係合金具の側面方向から見た図                                          （ｂ）係合金具の上面方向から見た図
【図６】本発明に係るジャッキ駆動用ソケットの他の例を示す図                          （ａ）部分断面図                                                            （ｂ）側面図
【図７】本発明に係るアタッチメントの例を示す図                                      （ａ）正面図                                                                （ｂ）側面図
【発明を実施するための形態】
【００２０】
図２〜図４に示すように、本発明に係るジャッキ駆動用ソケット２０は、一端に回転工具（図示省略）に接続するための工具接続部１０を、他端にジャッキの係合金具（図示省略）を収容するための係合穴部１１を備える略円筒形状のソケット本体１３を有し、係合穴部１１がソケット本体１３と一体成形されている。図５に示すように、ジャッキ駆動用ソケット２０を、その工具接続部１０を介して回転工具（図示省略）に接続し、係合穴部１１にジャッキの係合金具（一枚の穴付板）５を係合し、この状態で回転工具を駆動することにより、ジャッキを昇降させることができる。
【００２１】
なお、本発明に係るジャッキ駆動用ソケットは、図２〜５などに示される構成に限定されず、例えば、ソケット本体自体が、その軸方向断面が楕円形状であり、その内部に係合穴部を有するものを用いることも可能である。
【００２２】
本発明に係るジャッキ駆動用ソケット２０は、係合穴部１１がソケット本体１３と一体成形されているため、工具としての寿命が長く、また、係合穴部に関する部品点数が少ないため、安いコストで製造することが可能である。
【００２３】
工具接続部１０としては、例えば、図２、図４および図５に示すように、六角軸ビットを用いることができる。六角軸ビットで構成される工具接続部１０を有するジャッキ駆動用ソケットは、インパクトドライバ、電動ドライバー、電動ドリルなど、アタッチメントの回転軸を六角穴のジャックで係合する構成の回転工具を用いてジャッキアップするに際して使用することができる。
【００２４】
工具接続部１０としては、例えば、図６に示すように、四角穴１４を有するものを用いることができる。このように四角穴で構成される工具接続部１４を有するジャッキ駆動用ソケットは、インパクトレンチなど、回転軸が四角軸である回転工具を用いてジャッキアップするに際して使用することができる。
【００２５】
本発明のジャッキ駆動用ソケットにおいては、図７に示すように、一端に四角穴（図６の符号１４）に係合可能な四角軸２１を、他端に六角軸ビット２４を有するアタッチメント３０を用いてもよい。このアタッチメント３０の四角軸２１を図６に示すジャッキ駆動用ソケット２０ａの四角穴１４に挿入し、係合させれば、工具接続部を六角軸ビット（図７の符号２４）に変更することができ、インパクトドライバなどの回転工具に接続可能となる。このように、四角穴１４で構成される工具接続部を有するがこのアタッチメント３０を外せば、工具接続部が四角穴１４を有するソケット本体１３ａ（図６参照）と、一端に四角軸２１を、他端に六角軸ビット２４を有するアタッチメント３０（図7参照）とを用意すれば、様々な回転工具に接続可能となる。
【００２６】
なお、四角軸２１の側面には球２２がある。スリーブ２３は、球２２の固定（突出状態で固定）または自由（出し入れ自在）の切り替えをするものである。スリーブ２３は、常時、バネによって図中左方向に付勢されている。このとき、球２２は、四角軸２１の側面から一部が突出した状態、すなわち、内部に収容不能な状態となっている。スリーブ２３を図中右方向に移動させると、球２２が内部に収容可能となる。このため、スリーブ２３を図中右方向に移動させた状態、すなわち、球２２を内部に収容可能な状態で、四角軸２１を四角穴１４内に挿入し、球２２が穴１５に収容された後、スリーブ２３を開放すると、球２２が突出した状態となる。このようにして、アタッチメント３０をジャッキ駆動用ソケット２０ａに係合することができる。穴１５は、図中では一つだけ示されているが、いくつかの側面に複数あってもよい。
【００２７】
ここで、図４および図５に示すように、本発明のジャッキ駆動用ソケットは、係合穴部１１の先端に六角または十二角のねじ回し部１６を有することが好ましい。このような構成を有するジャッキ駆動用ソケットであれば、ねじ回し部１６を用いてホイールのボルト（図示省略）を緩めたのち、ソケットを交換することなく、そのまま係合穴部１１を用いてジャッキアップを行うことが可能となり、タイヤ交換時の作業性が格段に向上する。
【産業上の利用可能性】
【００２８】
本発明によれば、工具としての寿命が長く、また、係合穴部に関する部品点数が少ないため、安いコストでジャッキ駆動用ソケットを製造することが可能である。本発明の好ましい実施形態によれば、四角軸からなるジャックを有する回転工具にも、六角穴からなるジャックを有する回転工具にも、ジャッキ駆動用ソケットを接続することができる。本発明のより好ましい実施形態によれば、ソケットの交換をすることなく、ホイールのボルト回しも、ジャッキアップもできるので、タイヤ交換時の作業性を格段に向上させることが可能となる。
【符号の説明】
【００２９】
１  土台
２ａ、２ｂ  アーム
３  ヘッド
４  シャフト
５  係合金具
９  ジャッキ
１０  工具接続部
１１  係合穴部
１３、１３ａ  ソケット本体
１４  四角穴
１５  穴
１６  ねじ回し部
２０、２０ａ  本発明に係るジャッキ駆動用ソケット
２１  四角軸
２２  球
２３  スリーブ
２４  六角軸ビット
３０  アタッチメント
【図１】
2013189263.tif 000003
【図２】
2013189263.tif 000004
【図３】
2013189263.tif 000005
【図４】
2013189263.tif 000006
【図５】
2013189263.tif 000007
【図６】
2013189263.tif 000008
【図７】
2013189263.tif 000009